(57)【要約】      （修正有）【課題】きわめて低コストでその大きさ、材質を問わずに左右どちらからも開閉できうる両開き扉のための蝶番を提供する。【解決手段】蝶番固定側ｂの左側に対し左側リンクｅを回転可能なピン等で固定、同時に蝶番固定側の右側に対し右側リンクｆを回転可能なピン等で固定し、蝶番可動側ａを回転可能なピン等で左右それぞれの内蔵したリンクに固定することにより、左右のリンクは蝶番可動側ａにより動作が制限され、次のような動きとなる。左側リンクｅは蝶番可動側ａと一体となって開閉し、開放時に右側リンクｆは動かなくなる。右側リンクｆは蝶番可動側ａと一体となって開閉し、開放時に左側リンクｅは動かなくなる。【選択図】図４
0003149050.tif 000002
【実用新案登録請求の範囲】
【請求項１】
蝶番固定側の両側に稼動可能なリンクを伴う回転軸を設け、蝶番の全幅と略同じ長さのリンクを蝶番固定側の両側の回転軸に取付し、かつ蝶番可動側の両側にも稼働可能な回転軸を設け、前記のリンクで互いに交差するように取付した機構を持ち、左右両方共開放可能な構造で尚且つ一方が開放状態にあるとき、蝶番可動側の他方の開放が自動的に制限される開閉機構から構成される蝶番。
【請求項２】
請求項１におけるリンクを蝶番内部に格納した蝶番の構造。
【請求項３】
請求項１におけるリンクを蝶番内部に格納することにより、蝶番が開状態から閉状態へと移行する際に、自らのリンク自身がガイドとなり、扉の自重に対しても支障なく格納できうる蝶番の構造。
【請求項４】
請求項１の蝶番を扉の上下または左右の内側に取り付けすることにより両開きが可能となる扉構造。
【考案の詳細な説明】
【考案の詳細な説明】
【産業上の利用分野】
【０００１】  本考案は蝶番またはヒンジの開閉機構に関する。
【背景技術】
【０００２】  従来、扉の両側を開閉させる機構はその数も少なく、既存の技術では両側ともに回転可能な軸形状の蝶番と、脱落防止のための何らかの機構が必要であった。
その為、脱落防止の機構を開放させたい方向側だけ手動で解除する必要があり、手間がかかった。又、今では一般的となった冷蔵庫の両側開き構造に於いては手動でそのロックを外す必要が無いものの、両側が開くということは扉本体が脱落する危険も内在し、それを防止制限する為に複雑な機構を必要としている。
又、上記構造において、扉が閉状態から開放状態に変わる時、扉の固定は片側のみに頼り、その片側も完全なる保持構造では無いため、扉の自重により若干だが扉自身が下方にずれる構造となっている。
又、実願平４−６４２８０や実願２００８−７６３１において提案した両側開き方式はリンク式という点では本考案と同じではあるが、本考案ではあくまでその機構を内蔵した蝶番そのものを示めすことが大きな違いとなっている。
特に実願平４−６４２８０の構造では筐体と扉との保持の為の蝶番が扉の長さとほぼ同じ長さの為、扉を立てた場合は扉自身の自重により扉が下方に落ちるため実質的に開閉が困難という問題もある。
本考案における蝶番内臓の機構はこれらのいずれの問題も解決するものである。
【考案が解決しようとする課題】
【０００３】  そもそも扉の両側を開閉させる為に両側に蝶番を取り付けした場合、扉はそのどちらも開閉が不可能となる。それを解決した従来の冷蔵庫の技術は優れているが、同時に前記の問題を解決させる為に様々な機構を付加する必要があった。しかしそれはコストも高く、又小さなサイズでは機構が入らないし巨大なサイズでは扉が落下する危険も内在する。
本考案はそのいずれも解決するものであり、きわめて単純な構造で両側開きを実現し、低コストでその製品の大きさを問わずに製作が可能となっている。
特に、本考案においてはこれらの機構を内蔵した蝶番そのものの構造を定義しており、これにより低コストであらゆる物に簡単に取り付け可能な両開き蝶番を提供することが可能となる。
【課題を解決するための手段】
【０００４】  上記目的を達成する為に、本願請求項１の考案は蝶番固定側の左側に対し左側リンクを回転可能なピン等で固定、同時に蝶番固定側の右側に対し右側リンクを回転可能なピン等で固定することから始まる。
この状態では左右どちらのリンクもなんら制限を受けることなく動作が可能な状態となっている。
次に蝶番可動側を回転可能なピン等で左側リンクは蝶番可動側の右側へ、右側リンクは蝶番可動側の左側へ回転可能な状態で固定することにより、蝶番可動側は左右リンクにより下記のように動作が制限される。
蝶番可動側の右側が開放状態にある時左側リンクも開放状態となっていて、右側リンクは回転中心が蝶番可動側と同一な必要がある為、閉状態に制限される。
蝶番可動側の左側が開放状態にある時右側リンクも開放状態となっていて、左側リンクは回転中心が蝶番可動側と同一な必要がある為、閉状態に制限される。
本願請求項２の考案は本願請求項１のリンク機構を蝶番内部に格納した構造をしめしている。
本願請求項３の考案は蝶番固定側と蝶番可動側が格納状態では互いにリンクをはさみ込む状態で格納されていることにより、蝶番可動側が開いた状態では蝶番固定側とはピンを介してのみ保持されている。
従って、扉の自重がモーメントとして蝶番可動側にかかり、これが閉動作を行う時の支障となる。
しかし本考案に於いては蝶番の開状態から閉状態に移行する際に蝶番固定側と蝶番可動側の間に存在するリンク自身が案内板の役目を果たし、ピンの根元から除々に蝶番可動側を蝶番固定側内部に自然に入っていく為、扉自身の重量の影響をうけることなく格納状態への移行が可能となっている。
本願請求項４の考案は本願請求項１の蝶番を扉の上下または左右の内側に取り付けすることにより、両開きが可能となる扉を提供することである。
【考案を実施するための最良の形態】
【０００５】  以下本考案にかかわる交差リンク式左右開き蝶番構造の実施の形態を図面に従って説明する。【０００６】  図１に於いて、この状態は蝶番可動側ａの右側から開放し、蝶番固定側ｂの左側リンク回転軸ｃを回転中心として、左方向へ約１８０度回転した状態を示す。【０００７】  図２に於いて、この状態は蝶番可動側ａの左側から開放し、蝶番固定側ｂの右側リンク回転軸ｄを回転中心として、右方向へ約１８０度回転した状態を示す。【０００８】  図３に於いて、蝶番可動側ａが左方向及び右方向に動く時の軌跡を示す。【０００９】  図４に於いてこの機構は主に、蝶番可動側ａ、蝶番固定側ｂ、左側リンクｅ、右側リンクｆから構成される。
このように極めて単純な構造の為、本図のような蝶番にこだわらず、あらゆる形状の蝶番に応用ができうる。【００１０】  図５に於いてこの機構を簡略に示すと、まずリンクｋのｈ側を筐体ｎに回転可能なピン等で固定し、さらにリンクｍのｉ側を筐体ｎに回転可能なピン等で固定した状態に保持する。また同時にリンクｋとリンクｌは回転可能なピン等で連結し、さらにリンクｍとリンクｌは回転可能なピン等で連結されている。
この状態でリンクｋをイ方向へ回転させるとリンクｌもつられて回転するがリンクｍは回転動作を起こさない。
又、リンクｍをロ方向へ回転させるとリンクｌもつられて回転するがリンクｋは回転動作を起こさない。
つまり、このリンク関係で説明すると筐体ｎが蝶番固定側であり、リンクＩが蝶番可動側に置き換えれば解釈は容易となる。
これはあえて実施形体と同一ではないが、本考案の基本的動作を考える上で重要な要素となる為、説明の為に付け加えた。【００１１】  図６に於いて、この考案形態の実施例としての外観三面図を示す。【００１２】  図７に於いて、筐体ｐに対し、段差状に設けられた格納スペースに蝶番ｏを取付、その蝶番ｏに対し扉ｑを取付した状態を示す。
この時蝶番ｏは扉ｑに隠され、外観性も良くなっている。【００１３】  以上本考案の実施の形態について説明してきたが、本考案はこれに限定されることなく請求項の記載の範囲内において各種の変形、変更が可能なことは該当業者には自明であろう。
【考案の効果】
【００１４】  以上説明したように、本考案による開閉機構によれば、筐体に対し本考案の蝶番を取付すれば、左右どちらも開閉可能な扉等がロック機構をあえて有しなくとも成立し、その機構は極めて単純で尚且つ、落下する危険も全く無い。
【図面の簡単な説明】
【図１】本考案に関わる蝶番可動側の開閉形態を示す正面図であり、左側リンクと蝶番可動側が一体となって開放した状態を示す。
【図２】本考案に関わる蝶番可動側の開閉形態を示す正面図であり、右側リンクと蝶番可動側が一体となって開放した状態を示す。
【図３】本考案に関わる実施形態を示し、扉等の開閉動作説明の為の正面図であり、蝶番可動側の左右両側の開放軌跡を示す。
【図４】本考案に関わる実施形態を示し、蝶番等の組み立て構成図を示す。
【図５】本考案に関わる機構のリンクのみの簡略説明である。
【図６】本考案に関わる実施形態の一部を示す外観三面図であり、（ハ）は正面図、（ニ）は側面図、（ホ）は下面図を示す。
【図７】本考案に関わる実施形態の一部を示す断面図である。
【符号の説明】
ａ、        蝶番可動側
ｂ、        蝶番固定側
ｃ、  ｃ’  左側リンク回転軸
ｄ、  ｄ’  右側リンク回転軸
ｅ、        左側リンク
ｆ、        右側リンク
ｇ、        リンク回転軸
ｈ、        リンク回転中心
ｉ、        リンク回転中心
ｊ、        リンク回転軸
ｋ、        リンク
ｌ、        リンク
ｍ、        リンク
ｎ、        筐体
ｏ、        蝶番
ｐ、        筐体
ｑ、        扉
【図１】
0003149050.tif 000003
【図２】
0003149050.tif 000004
【図３】
0003149050.tif 000005
【図４】
0003149050.tif 000006
【図５】
0003149050.tif 000007
【図６】
0003149050.tif 000008
【図７】
0003149050.tif 000009